(57)【要約】  乳頭カップ、コネクター（２）及びカートリッジ（１）が開示される。乳頭カップは、搾乳される動物の乳頭に取り付けられるように構成される。カートリッジは、上端区域（８’）及び下端区域（８”）を有する長尺スリーブ（８）、及び長尺スリーブ（８）に予め装着されかつ乳頭を受容するための内部空間（１０）を有するバレル（９）を含む。長尺スリーブとバレルの間に脈動室（１１）が形成される。上端区域に与えられたヘッド部材（１２）は、内部空間への開口（１４）を包囲するリップ（１３）を含む。長尺スリーブは、上端区域で外側に延びるフランジ（２０）を有する。ヘッド部材は、各々がフランジを把持する複数のロッキング部材（１９）を含む。ロッキング部材の各々は、下端区域に向かってかつフランジを越えて延びる。【選択図】  図３−４
2021500005.tif 000002
【特許請求の範囲】
【請求項１】
乳頭カップによって含まれるように構成されたカートリッジ（１）であって、乳頭カップが、コネクター（２）を含み、かつ搾乳される動物の乳頭に取り付けられるように構成され、カートリッジ（１）が、
長手方向中心軸（ｘ）と平行に延び、かつ上端区域及び下端区域を有する長尺スリーブ（８）、
長尺スリーブ（８）に予め装着され、かつ前記乳頭を受容するための内部空間（１０）を有するバレル（９）、
長尺スリーブ（８）の内部表面とバレル（９）の外部表面の間に形成された脈動室（１１）、及び
内部空間（１０）に対する開口（１４）を包囲するリップ（１３）を含むヘッド部材（１２）
を含み、ヘッド部材（１２）が、上端区域（８’）に与えられるものにおいて、
長尺スリーブ（８）が、上端区域（８’）で外側に延びるフランジ（２０）を有すること、
ヘッド部材（１２）が、各々がフランジ（２０）を把持する複数のロッキング部材（１９）を含むこと、及び
ロッキング部材（１９）の各々が、下端区域（８”）に向かってかつフランジ（２０）を越えて延びることを特徴とするカートリッジ（１）。
【請求項２】
ロッキング部材（１９）の各々が、下端区域（８”）から離れるように方向転換されている係合表面（２２）を含む内側に延びる部分（２１）を含む、請求項１に記載のカートリッジ（１）。
【請求項３】
フランジ（２０）が、下端区域（８”）に向かうように方向転換されている下部表面（２３）を含み、係合表面（２２）の各々が、下部表面（２３）に当接する、請求項２に記載のカートリッジ（１）。
【請求項４】
ヘッド部材（１２）が、バレル（９）に取り付けられる、請求項１〜３のいずれかに記載のカートリッジ（１）。
【請求項５】
ヘッド部材（１２）が、リップ要素（１５）、及びリップ要素（１５）に取り付けられたリング部材（１６）を含み、リップ要素（１５）が、リップ（１３）を含み、リング部材（１６）が、ロッキング部材（１９）及び係合要素（１７）を含み、係合要素（１７）が、ヘッド部材（１２）をバレル（９）に取り付ける、請求項４に記載のカートリッジ（１）。
【請求項６】
フランジ（２０）が、環状であり、かつ複数の凹所（２４）を含み、ロッキング部材（１９）の各々が、凹所（２４）のそれぞれ一つに受容される、請求項１〜５のいずれかに記載のカートリッジ（１）。
【請求項７】
フランジ（２０）が、下端区域（８”）から離れて面する上部表面（２５）を有し、凹所（２４）の各々が、上部表面（２５）を通ってかつ長手方向中心軸（ｘ）と平行に延びる、請求項６に記載のカートリッジ（１）。
【請求項８】
凹所（２４）の各々が、下端区域（８’）に向かって先細形状を有し、ロッキング部材（１９）の各々が、下端区域（８”）に向かって対応する先細形状を有する、請求項６又は７に記載のカートリッジ（１）。
【請求項９】
コネクター（２）が、下側ベース部材（３）、及び下側ベース部材（３）から延びかつコネクター（２）の受容空間（５）を包囲する鞘（４）を含む、請求項１〜８のいずれかに記載のカートリッジ（１）。
【請求項１０】
ロッキング部材（１９）が、カートリッジ（１）がコネクター（２）の受容空間（５）に受容されるときに鞘（４）の内部表面（４０）の内側にかつそれに隣接して位置される、請求項９に記載のカートリッジ（１）。
【請求項１１】
複数の結合部材（４１）が、長尺スリーブ（８）の外部表面（４２）の上に与えられ、複数の相補結合部材（４３）が、コネクター（２）の内部表面（４０）の上に与えられ、結合部材（４１）の各々が、相補結合部材（４３）のそれぞれ一つと差込み結合を形成してコネクター（２）におけるカートリッジ（１）のロッキングを可能にする、請求項９又は１０に記載のカートリッジ（１）。
【請求項１２】
通路（４４）が、結合部材（４１）の各々の間に与えられ、カートリッジ（１）がコネクター（２）の受容空間（５）中に導入されるときに相補結合部材（４３）のそれぞれ一つが通路（４４）を通過することを可能にする、請求項１１に記載のカートリッジ（１）。
【請求項１３】
結合部材（４１）の各々が、下端区域（８”）から離れるように方向転換されている上部表面（４５）を含み、相補結合部材（４３）のそれぞれ一つの下部表面（４６）による係合を可能にする、請求項１１又は１２に記載のカートリッジ（１）。
【請求項１４】
結合部材（４１）と相補結合部材（４３）の少なくとも一方が、最終回転位置を与えるための停止表面（４７）を含む、請求項１３に記載のカートリッジ（１）。
【請求項１５】
結合部材（４１）と相補結合部材（４３）の少なくとも一方が、上部表面（４５）の上への相補結合部材（４３）のスライドを可能にする傾斜面（４８）を含む、請求項１３又は１４に記載のカートリッジ（１）。
【請求項１６】
請求項９〜１５のいずれかに記載のカートリッジ（１）及びコネクター（２）を含み、かつ搾乳される動物の乳頭に取り付けられるように構成された乳頭カップ。
【発明の詳細な説明】
【技術分野】
【０００１】
本発明は、一般にカートリッジに関し、それは、コネクターとともに、搾乳される動物の乳頭に取り付けられる乳頭カップを形成する。特に、本発明は、請求項１の前提文に記載のカートリッジに関する。
【０００２】
さらに、本発明は、コネクター及びカートリッジを含み、かつ搾乳される動物の乳頭に取り付けられるように構成された乳頭カップに関する。
【背景技術】
【０００３】
ＷＯ２０１４／１７８７８３は、搾乳される動物の乳頭に取り付けられる乳頭カップのコネクターに受容されるように構成されたカートリッジを開示する。カートリッジは、上端及び下端を有する長尺スリーブ、長尺スリーブに装着され、かつ乳頭を受容するための内部空間を有するバレル（ｂａｒｒｅｌ）、及び長尺スリーブの内側とバレルの外側の間に与えられる脈動室を含む。バレルは、長尺スリーブの上端に位置される上端部分、バレル部分、及び長尺スリーブの下端を越えて延びる下端部分を含む。リップ部材は、スナップ接続によってバレルのフランジに取り付けられる。
【０００４】
カートリッジを取り扱うとき、例えばカートリッジを乳頭カップのコネクター中に挿入するとき、又はカートリッジをコネクターから除去するとき、特に挿入及び／又は除去が回転運動を含むときに、長尺スリーブに対してバレルが回転されることが起こりうる。そのとき、バレルは、直線的な、特に略円筒形な形状が変形されるようにねじれるかもしれない。かかるねじれは、バレルの性能を有意に低下する。これは、例えばバレルのバレル部分が円筒形断面形状を有するとき、特にバレルのバレル部分が、少なくとも休止状態において、複数の角部分、及び各々が前記角部分の二つを接続する複数の辺部分を規定する多角形断面形状を有するときのように、様々な種類のバレルに対して問題である。かかる多角形バレルは、ねじれに対して極めて敏感である。
【発明の概要】
【０００５】
本発明の目的は、上述の問題を克服し、乳頭カップのための改良されたカートリッジを提供することである。特に、それは、長尺スリーブに対するバレルのねじれの危険が低下又は回避されるカートリッジを目的としている。さらに、それは、リップを含むヘッド部材（ｈｅａｄ  ｍｅｍｂｅｒ）のカートリッジへの、カートリッジの長尺スリーブへのしっかりとした取り付けを目的としている。
【０００６】
この目的は、冒頭に規定されたカートリッジであって、
長尺スリーブが、上端区域で外側に延びるフランジを有すること、
ヘッド部材が、各々がフランジを把持する複数のロッキング部材を含むこと、及び
ロッキング部材の各々が、下端区域に向かってかつフランジを越えて延びること
を特徴とするカートリッジによって達成される。
【０００７】
フランジを越えて延びかつフランジを把持するロッキング部材は、たとえヘッド部材及び乳頭カップが様々な方向に強い力を受けたとしてもカートリッジの上のヘッド部材の取り付けを確保する。フランジを把持する複数のロッキング部材は、ヘッド部材が長尺スリーブに対して回転されることを防止することができ、従ってヘッド部材は、バレルを回転したり、又はねじることができない。
【０００８】
本発明の実施形態によれば、ロッキング部材の数は、少なくとも三つ、好ましくは少なくとも四つである。三つ又は四つのロッキング部材により、ヘッド部材の周囲部分の持ち上げが防止されることができる。
【０００９】
本発明の実施形態によれば、ロッキング部材は、互いに分離され、好ましくは互いに等距離に分離される。従って、ロッキング部材は、ヘッド部材の周囲に沿って均一に分布されることができる。
【００１０】
本発明の実施形態によれば、ロッキング部材の各々は、下端区域から離れるように方向転換されている係合表面を含む内側に延びる部分を含む。従って、ロッキング部材の各々は、フックとして構成されることができる。従って、係合表面は、長尺スリーブへのヘッド部材の取り付けを強めるためにフランジの下側表面を係合することができる。
【００１１】
本発明の実施形態によれば、係合表面の各々は、放射方向の平面（即ち、長手方向中心軸に対して放射方向の平面）と平行であるか、又は実質的に平行である。
【００１２】
本発明の実施形態によれば、フランジは、環状であり、かつ下端区域に向かうように方向転換されている下部表面を含み、係合表面の各々が、下部表面に当接する。係合表面は、下部表面と大きな当接領域を形成することができ、さらに長尺スリーブに対するヘッド部材の取り付けを強めることができる。
【００１３】
本発明の実施形態によれば、フランジの下部表面は、放射方向の平面（即ち、長手方向中心軸に対して放射方向の平面）と平行であるか、又は実質的に平行である。
【００１４】
本発明の実施形態によれば、ヘッド部材は、バレルに取り付けられる。従って、ヘッド部材及びバレルは、一つのユニットを形成することができ、それは、長尺スリーブ中に導入されてカートリッジを形成し、カートリッジは、コネクターとともに乳頭カップを形成する。
【００１５】
本発明の実施形態によれば、ヘッド部材は、リップ要素、及びリップ要素に取り付けられたリング部材を含み、リップ要素は、リップを含み、リング部材は、ロッキング部材及び係合要素を含み、係合要素は、ヘッド部材をバレルに取り付ける。従って、係合要素は、バレルに対するヘッド部材のしっかりとした取り付けを確保することができる。
【００１６】
本発明の実施形態によれば、係合要素は、バレル中の溝、好ましくは円周溝の中へと内側に延びることによってバレルと係合する。
【００１７】
本発明の実施形態によれば、フランジは、複数の凹所を含み、ロッキング部材の各々は、凹所のそれぞれ一つに受容される。ロッキング部材のそれぞれ一つを受容する凹所は、周囲方向のヘッド部材の取り付けを強め、従って長尺スリーブに対するヘッド部材の回転の危険をさらに低下する。
【００１８】
本発明の実施形態によれば、凹所の数は、ロッキング部材の数と同じである。即ち、特に少なくとも三つ、又は少なくとも四つの凹所である。
【００１９】
本発明の実施形態によれば、フランジは、下端区域から離れて面する上部表面を有し、凹所の各々が、上部表面を通ってかつ長手方向中心軸と平行に延びる。
【００２０】
本発明の実施形態によれば、凹所は、互いに分離され、好ましくは互いに等距離で分離される。従って、凹所は、フランジの周囲に沿って均一に分布されることができる。
【００２１】
本発明の実施形態によれば、凹所の各々は、下端区域に向かって先細形状を有し、ロッキング部材の各々は、下端区域に向かって対応する先細形状を有する。凹所及びロッキング部材の先細形状は、凹所中へのロッキング部材の導入を容易にし、それぞれの凹所におけるロッキング部材のしっかりとした係合に寄与する。
【００２２】
本発明の実施形態によれば、コネクターは、下側ベース部材、及び下側ベース部材から延びかつコネクターの受容空間を包囲する鞘を含む。
【００２３】
本発明の実施形態によれば、下側ベース部材及び鞘は、ワンピースで作られ、好ましくはプラスチック材料から作られる。
【００２４】
本発明の実施形態によれば、ロッキング部材は、カートリッジがコネクターの受容空間に受容されるときに鞘の内部表面の内側にかつそれに隣接して位置される。従って、鞘は、ロッキング部材が放射方向外側に動くこと、従ってそれらのフランジの把持からはずれること、特にそれぞれの凹所におけるそれらの位置からはずれることを防止することができる。
【００２５】
本発明の実施形態によれば、複数の結合部材は、長尺スリーブの外部表面の上に与えられ、複数の相補結合部材は、コネクターの内部表面の上に与えられ、結合部材の各々は、相補結合部材のそれぞれ一つと差込み結合を形成してコネクターにおけるカートリッジのロッキングを可能にする。かかる差込み結合は、例えば乳頭カップが搾乳される動物の乳頭に取り付けられるとき、カートリッジがコネクターから接続解除されることを確実に防止することができる。
【００２６】
本発明の実施形態によれば、カートリッジがコネクターの受容空間中に導入されるときに相補結合部材のそれぞれ一つが結合部材を越えて軸方向に通ることを可能にするために結合部材の各々の間に通路が与えられる。従って、カートリッジは、長手方向中心軸と平行な直線路に沿ってコネクター中に導入されることができる。カートリッジがその最終軸方向位置に到達するとき、それは、コネクターに対して回転されることができ、そこでは結合部材及び相補結合部材は、互いに係合することができる。
【００２７】
本発明の実施形態によれば、結合部材の各々は、下端区域から離れるように方向転換されている上部表面を含み、相補結合部材の下部表面による係合を可能にする。従って、上部表面は、コネクターに対するカートリッジの前記回転中に相補結合部材の下側表面の上でスライドすることができる。
【００２８】
本発明の実施形態によれば、結合部材と相補結合部材の少なくとも一方は、最終回転位置を与えるための停止表面を含む。停止表面は、コネクターに対するカートリッジの前記回転後のカートリッジの最終回転位置を規定する。停止表面は、長手方向中心軸と平行であることができる。停止表面は、結合部材の上部表面から又は相補結合部材の下部表面から延びることができる。
【００２９】
本発明の実施形態によれば、結合部材と相補結合部材の少なくとも一方は、上部表面の上への相補結合部材のスライドを可能にする傾斜面を含む。傾斜面は、カートリッジの結合部材の上部表面がコネクターの相補結合部材の下部表面、従ってコネクターに対するカートリッジの前記回転の最初の部分に到達することを容易にすることができる。
【００３０】
前記目的はまた、上記のカートリッジを含む、冒頭で規定されたような乳頭カップによって達成される。
【図面の簡単な説明】
【００３１】
本発明は、様々な実施形態の記載によって及びここに添付される図面を参照して、より詳細に説明されるだろう。
【００３２】
【図１−２】図１は、本発明の実施形態による乳頭カップの側面図を開示する。図２は、図１の線ＩＩ−ＩＩに沿った乳頭カップの縦断面図を開示する。
【００３３】
【図３−４】図３は、ミルク管及び脈動管から接続解除された図１の乳頭カップの縦断面図を開示する。図４は、図１の乳頭カップの上部の縦断面図を開示する。
【００３４】
【図５】図５は、図１の乳頭カップのカートリッジの透視図を開示する。
【００３５】
【図６−７】図６は、図１の乳頭カップのコネクターの側面図を開示する。図７は、図６のコネクターの縦断面図を開示する。
【００３６】
【図８−９】図８は、図４のカートリッジの上部の透視図を開示する。図９は、図４のカートリッジの下部の透視図を開示する。
【発明を実施するための形態】
【００３７】
図１〜４は、搾乳される動物の乳頭に取り付けられる乳頭カップを開示する。乳頭カップは、カートリッジ１（図５も参照）、及びコネクター２（図６も参照）を含む。
【００３８】
コネクター２は、下側ベース部材３及び鞘４を含む。鞘４は、下側ベース部材３から延び、コネクター２の受容空間５を包囲する。乳頭カップが組み立てられるとき、カートリッジ１は、図２及び３に見られるようにコネクターの受容空間５に受容される。
【００３９】
開示された実施形態では、下側ベース部材３及び鞘４は、一体化された部分を形成し、ワンピースの材料、例えばプラスチック材料から作られることができる。
【００４０】
本願の全体を通して、用語「上（上部）（上側）（ｕｐｐｅｒ）」は、乳頭カップが動物の乳頭に取り付けられるときに搾乳時の動物の乳房に近い方の位置を示し、用語「下（下部）（下側）（ｌｏｗｅｒ）」は、動物の搾乳時の乳房から遠い方の位置を示す。
【００４１】
乳頭カップは、短いミルク管又は長いミルク管のようなミルク管６に、及び脈動管７に接続されることができる。
【００４２】
長手方向中心軸ｘは、乳頭カップを通ってかつそれに沿って、即ちカートリッジ１及びコネクター２を通って延びる。長手方向中心軸ｘはまた、ミルク管６が図２に示されるように休止状態にあるときにミルク管６の少なくとも一部を通ってかつそれに沿って延びることができる。
【００４３】
カートリッジ１は、長尺スリーブ８及びバレル９を含む。長尺スリーブ８は、長手方向中心軸ｘと平行に延び、上端区域８’及び下端区域８”を有する。バレル９は、長尺スリーブ８に予め装着され、乳頭を受容するための内部空間１０を有する。脈動室１１は、長尺スリーブ８の内部表面とバレル９の外部表面の間に形成されかつ包囲される。
【００４４】
カートリッジ１はまた、ヘッド部材１２を含み、ヘッド部材１２は、内部空間１０中への乳頭の導入のために内部空間１０への開口１４を包囲しかつ規定するリップ１３を含む。
【００４５】
ヘッド部材１２は、長尺スリーブ８の上端区域８’に与えられ、かつバレル９に取り付けられる。
【００４６】
ヘッド部材１２は、リップ１３を含むリップ要素１５、及びリップ要素１５に取り付けられかつ係合要素１７を含むリング部材１６を含む（図４参照）。係合要素１７は、ヘッド部材１２をバレル９に取り付ける。係合要素１７は、図４で見られるようにバレル９中の溝の中へと内側に延びる環状突出部として構成される。溝は、バレル９の外部表面のまわりに環状に延びることができる。
【００４７】
リップ要素１５は、比較的弾性の材料から作られ、一方リング部材１６は、比較的剛い材料から作られる。
【００４８】
ヘッド部材１２は、複数のロッキング部材１９を含み、開示された実施形態では、四つのロッキング部材１９を含む。ロッキング部材１９は、互いに分離され、好ましくは互いに等距離で分離され、従ってヘッド部材１２の周囲に沿って均一に分布される。
【００４９】
ロッキング部材１９は、リング部材１６によって含まれ、図４で見られるようにバレル９の外側で下端区域８”に向かって延びる。
【００５０】
長尺スリーブ８は、フランジ２０を有し、それは、環状であり、かつ長尺スリーブ８の上端区域８’で外側にかつ周囲に延びることができる。ロッキング部材１９の各々は、フランジ２０を把持し、かつフランジ２０を越えて延びる。
【００５１】
ロッキング部材１９の各々は、下端区域８”から離れるように方向転換されている係合表面２２を含む内側に延びる部分２１を含む。ロッキング部材１９の各々は、図３及び４に見られるように、フックを含むか、又はフックとして構成されることができる。
【００５２】
フランジ２０は、下端区域８”に向かうように方向転換されている下部表面２３を含む。
【００５３】
係合表面２２の各々は、ヘッド部材１２のロッキング部材１９がフランジ２０を把持しているとき、下部表面２３に当接する。下部表面２３は、複数の表面部分を含むことができ、係合表面２２の各々は、表面部分のそれぞれ一つと当接する。表面部分は、下部表面２３と同じ平面、例えば同じ放射方向面にあることができるか、又は下部表面２３に対して軸方向に変位されることができる。
【００５４】
フランジ２０は、複数の凹所２４を含み、開示された実施形態では四つの凹所２４を含む（図５及び８参照）。凹所２４は、互いに分離され、好ましくは互いに等距離に分離され、従ってフランジ２０の周囲に沿って均一に分布されることができる。
【００５５】
フランジ２０は、下端区域８”から離れて面する上部表面２５を有する。上部表面２５は、フランジ２０の下部表面２３とは反対側であることができる。上部表面２５は、長手方向中心軸ｘに対して放射方向面と平行に又は実質的に平行に延びることができる。
【００５６】
凹所２４の各々は、上部表面２５を通ってかつ長手方向中心軸ｘと平行に延びる。ロッキング部材１９の各々は、凹所２４のそれぞれ一つに受容される。
【００５７】
凹所２４の各々は、下端区域８’に向かって先細形状を有し、ロッキング部材１９の各々は、下端区域８”に向かって対応する先細形状を有する（図５及び８参照）。凹所２４及びロッキング部材１９の先細形状は、凹所２４中へのロッキング部材１９の導入を容易にし、それぞれの凹所２４におけるロッキング部材１９の各々のしっかりとした係合に寄与する。
【００５８】
バレル９は、長尺スリーブ８の上端区域８’に位置される上端部分９’、長尺スリーブ８の下端区域８”に位置される下端部分９”、及び上端部分９’と下端部分９”の間に延びるバレル部分９’’’を含む（図３参照）。
【００５９】
バレル部分９’’’は、比較的弾性の材料から作られるが、上端部分９’及び下端部分９”は、比較的剛い材料から作られる。
【００６０】
バレル９の上端部分９’は、下端部分９”及び下端区域８”に向かうように方向転換されておりかつ外側に延びる当接面２７を有する（図４参照）。また、リング部材１６は、下端区域８”に向かうように方向転換されておりかつバレル９の上端部分９’の当接面２７と共通の平面にある当接面２８を有する（図８参照）。上端部分９’の当接面２７及びリング部材１６の当接面２８は、図４及び８で見られるように、フランジ２０の上部表面２５に当接する。
【００６１】
開示された実施形態では、バレル部分９’’’は、休止状態では、図２に示されるように、三つの角部分及び三つの辺部分を規定する三角形断面形状を有する。各辺部分は、直線であり、三つの角部分のうちの二つの間に延びかつこれらを接続する。バレル９’’’はまた、いずれかの他の好適な多角形断面形状又は円形断面形状を有することができることが注意されるべきである。
【００６２】
バレル９の下端部分９”は、外側に延びる停止フランジ２９を含む（図３及び５参照）。停止フランジ２９は、長尺スリーブ８の下端区域８”の端面に当接し、長尺スリーブ８に対して下端部分９”の軸方向の位置を維持する。
【００６３】
突出部３０は、長尺スリーブ８の下端区域８”の端面から下方に延びる。突出部３０は、図５に見られるように、ありつぎ形状を持つことができる。突出部３０は、バレル９が長尺スリーブ８に対して長手方向中心軸ｘのまわりに回転されてねじれるのを防止するために長尺スリーブ８に装着されるとき、停止フランジ２９において凹所３１中に嵌合する。従って、突出部３０及び凹所３１は、長尺スリーブ８においてバレル９の回転位置を規定することができる。一つより多い突出部３０及び凹所３１が与えられることができることが注意されるべきである。
【００６４】
開示された実施形態では、長尺スリーブ８は、下端区域８”において、三つの開口３３（図３及び９参照）を含む。開口３３は、長尺スリーブ８の下端区域８”のまわりに分布され、好ましくは等距離に分布される。開口３３の各々は、脈動乳首３４及び脈動管７による脈動室１１の中へ、及び脈動室１１から外への脈動圧力の移動を可能にする。開口３３の数は、三つ以外であることができるが、開口３３の数は、バレル９のバレル部分９’’’の辺部の数と同じであることが好ましい。
【００６５】
バレル部分９’’’は、下端部分９”の近くでバレル部分９’’’のまわりに延びかつ外側に突出する突出リング３５を含む。突出リング３５は、三つの直線部分を含み、それらの各々は、軸方向に又は実質的に軸方向に、バレル部分９’’’の辺部分のそれぞれ一つと整列される。従って、突出リング３５は、突出リング３５の上のバレル部分９’’’の多角形形状に対応する多角形形状を有する。突出リング３５の直線部分の各々は、開口３３のそれぞれ一つとは部分的に反対に位置される。さらに、バレル９、特に下端部分９”は、ミルク出口ノズル３６を含むか、又はそれを形成する。
【００６６】
カートリッジ１がコネクター２に受容されるとき、鞘４は、長尺スリーブ８の下端区域８”から上端区域８’まで延びる。従って、長尺スリーブ８は、鞘４によって保護される。さらに、ロッキング部材１９は、カートリッジ１がコネクター２の受容空間５に受容されるとき、鞘４の内部表面４０の内側にかつそれに隣接して位置される。従って、鞘４は、ロッキング部材１９が外側に動くこと、従ってフランジ２０の係合からはずれることを防止するだろう。
【００６７】
カートリッジ１がコネクター２の受容空間５に受容されるとき、ヘッド部材１２のリップ要素１５のみが鞘４の上端表面４’の上にかつそれを越えて延びる。
【００６８】
リップ要素１５は、カートリッジ１がコネクター２に受容されるとき、鞘４の上端表面４’に当接する下部表面１５”を有する。上端表面４’に対する下部表面１５”の当接は、環境から受容空間５を封止することに寄与する。
【００６９】
複数の結合部材４１が長尺スリーブ８の外部表面４２の上に与えられ（図９参照）、複数の相補結合部材４３がコネクター２の鞘４の内部表面４０の上に与えられる（図７参照）。結合部材４１の各々は、コネクター２におけるカートリッジ１のロッキングを可能にするために相補結合部材４３のそれぞれ一つと差込み結合を形成する。
【００７０】
カートリッジ１が長手方向中心軸ｘと平行な方向に沿ってコネクター２の受容空間５中に導入されるときに相補結合部材４３のそれぞれ一つが通ることができるように結合部材４１の各々の間に通路４４が与えられる。従って、カートリッジ１は、結合部材１が相補結合部材４３を越えて最終的な軸方向位置に移動するまで前記方向に沿ってコネクター２中に導入されることができる。
【００７１】
結合部材４１の各々は、相補結合部材４３による係合を可能にするために下端区域８”から離れるように方向転換されている上部表面４５を含む。カートリッジ１が前記方向に沿って最終的な軸方向位置に到達するとき、それは、コネクター２に対して回転されることができ、そこでは各結合部材４１の上部表面４５は、相補結合部材４３のそれぞれ一つの下部表面４６の上でスライドすることができる。
【００７２】
開示された実施形態では、結合部材４１の各々は、長手方向中心軸ｘと平行でありかつ上部表面４５から延びる停止表面４７を含む。停止表面４７は、コネクター２に対して長手方向中心軸ｘのまわりでカートリッジ１が回転した後にカートリッジ１の最終的な回転位置を与えるか又は規定する。
【００７３】
さらに、結合部材４１の各々は、上部表面４５の上への相補結合部材４３のスライドを可能にするために上部表面４５に延びる傾斜面４８を含む。傾斜面４８は、カートリッジ１の上部表面４５がコネクター２の下部表面４６に達することを容易にすることができ、従って傾斜面４８は、コネクター２に対するカートリッジ１の前記回転の最初の部分を容易にすることができる。
【００７４】
コネクター２は、長手方向中心軸ｘに向かって内側に、特に放射方向内側に延びる下部フランジ４９を含む。フランジ４９は、図２に見られるようにミルク管６へコネクター２を解放可能に取り付けるためにミルク管６の上部における対応する溝と係合することができる。
【００７５】
カートリッジ１は、ヘッド部材１２をバレル９に取り付けることによって組み立てられ、そこでは係合要素１７は、バレル９の外側の上の溝と係合する。バレル９は、それに取り付けられたヘッド部材１２とともに、次いで好適なツールによって長尺スリーブ８に装着され、かくして停止フランジ２９は、長尺スリーブ８の下端を越えて圧縮される。停止フランジ２９は、次いで外側に撓んで長尺スリーブ８の下端に対して停止フランジ２９をロックし、そこでは長尺スリーブ８及びバレル９の相対的な回転位置は、突出部３０が凹所３１と係合することを可能にするように調整される。同時に、ロッキング部材１９は、係合表面２２がフランジ２０の下部表面２３を越えて移動するまで凹所２４中に導入される。ロッキング部材１９は、次いで内側に撓んで係合表面２２が下部表面２３と当接することを可能にするだろう。
【００７６】
カートリッジ１は、次いで長手方向中心軸ｘに平行な方向に沿って導入されることによってコネクター２に装着されることができる。カートリッジ１は、相補結合部材４３が通路４４を通ることができるように回転位置で保持される。カートリッジ１がさらに移動されることができないとき、ミルク出口ノズル３６がミルク管６の内側入口表面と当接するとき、カートリッジ１は、コネクター２に対して回転され、相補結合部材４３の下部表面４６は、傾斜面４８の上をスライドし、次いで最終位置の相補結合部材４３が停止表面４７に到達するまで上部表面４５の上をスライドするだろう。従って、カートリッジ１がコネクター２における最終位置に到達したとき、相補結合部材４３は、結合部材４１の上部表面４５及び停止表面４７に当接する。ミルク出口ノズル３６は、図２に見られるように、この最終位置においてミルク管６の内側入口表面に対して圧縮される。
【００７７】
本発明は、ここに開示されかつ記載された実施形態に限定されず、添付の請求項の範囲内で変更及び修正されることができる。
【００７８】
傾斜面４８は、代替例として相補結合部材４３の上に与えられ、次いで下部表面４６に延びることができることが注意されるべきである。
【００７９】
さらに、停止表面４７は、代替例として相補結合部材４３の下部表面４６の上に与えられ、そこから下方に延びることができる。
【００８０】
停止表面４７は、上部表面４５から又は下部表面４６からずっと延びる必要はなく、この表面４５，４６のいずれか一つから離れて開始してもよい。
【００８１】
相補結合部材４３は、開示された実施形態では放射方向で見ると矩形形状を有する。相補結合部材４３は、代わりに円形のような他の形状を有してもよいことが注意されるべきである。
【図１−２】
2021500005.tif 000003
【図３−４】
2021500005.tif 000004
【図５】
2021500005.tif 000005
【図６−７】
2021500005.tif 000006
【図８−９】
2021500005.tif 000007
【国際調査報告】
2021500005.tif 000008
2021500005.tif 000009
2021500005.tif 000010
2021500005.tif 000011